(57)【要約】【課題】鉛を全く使用することなく、通常使用での扉及び該扉周囲の枠部からの放射線の漏洩を大きく減弱し得るとともに低コスト化を実現する放射線遮蔽扉の製造方法を提供することを目的とする。【解決手段】本発明は上記目的を達成するために、放射線遮蔽扉１は、少なくとも２枚の無鉛ボード４ａ，４ｂを積層した積層体４の表・裏両面にそれぞれ所要厚さの鋼板５を貼設した構成を備えさせ、開口部における少なくとも上枠及び左・右の竪枠部分の放射線遮蔽枠３は、少なくとも２枚の無鉛ボード４ａ，４ｂを積層した積層体４に所要厚さの鋼板１１を被装して構成した放射線遮蔽扉の製造方法を提供するものである。【選択図】図１
2010230311.tif 000002
【特許請求の範囲】
【請求項１】
放射線遮蔽扉及び該放射線遮蔽扉が設置される開口部における放射線遮蔽枠の製造方法であって、
前記放射線遮蔽扉は、少なくとも２枚の鉛フリー放射線防護材（以下無鉛ボードと称する）を積層した積層体の表・裏両面にそれぞれ所要厚さの鋼板を貼設した構成を備えさせ、前記開口部における少なくとも上枠及び左・右の竪枠部分の前記放射線遮蔽枠は、少なくとも２枚の無鉛ボードを積層した積層体に所要厚さの鋼板を被装して構成したことを特徴とする放射線遮蔽扉の製造方法。
【請求項２】
上記放射線遮蔽扉における上框、下框及び左・右の竪框部分には鋼材製の補強材をそれぞれ嵌着したことを特徴とする請求項１記載の放射線遮蔽扉の製造方法。
【請求項３】
上記放射線遮蔽扉の表・裏両面には、それぞれ合板及び化粧板を順次積層したことを特徴とする請求項２記載の放射線遮蔽扉の製造方法。
【請求項４】
上記上枠及び左・右の竪枠部分の放射線遮蔽枠には、上記放射線遮蔽扉における上框及び左・右の竪框部分の各裏面に対応した戸当り部をそれぞれ連設するとともに該戸当り部においても前記各枠部分の放射線遮蔽枠と同様に少なくとも２枚の無鉛ボードを積層した積層体に所要厚さの鋼板を被装して構成したことを特徴とする請求項１，２又は３記載の放射線遮蔽扉の製造方法。
【発明の詳細な説明】
【技術分野】
【０００１】
本発明は、放射線遮蔽扉の製造方法に関するものであり、特に、鉛を全く使用することなく、通常使用での扉及び該扉周囲の枠部からの放射線の漏洩を大きく減弱し得る放射線遮蔽扉の製造方法に関するものである。
【背景技術】
【０００２】
従来、例えば、次のような放射線の遮蔽構造体が知られている。この従来技術は、放射線発生源を取り囲むようにして設置される放射線の遮蔽構造体が、それぞれほぼ全面にわたって鉛板が組み込まれた壁パネル及び天井パネルによって構成されている（例えば、特許文献１参照）。
【先行技術文献】
【特許文献】
【０００３】
【特許文献１】特開平６−２９４８９５号公報。
【発明の概要】
【発明が解決しようとする課題】
【０００４】
特許文献１に記載の従来技術においては、壁パネル及び天井パネルに有害物質とされて使用を制限されている鉛の板がほぼ全面にわたって、そのまま組み込まれている。このため、これらによって構成される放射線の遮蔽構造体についても、有害性が懸念されるという問題があった。
【０００５】
そこで、鉛を全く使用することなく、通常使用での扉及び該扉周囲の枠部からの放射線の漏洩を大きく減弱し得るとともに低コスト化を実現するために解決すべき技術的課題が生じてくるのであり、本発明はこの課題を解決することを目的とする。
【課題を解決するための手段】
【０００６】
本発明は上記目的を達成するために提案されたものであり、請求項１記載の発明は、放射線遮蔽扉及び該放射線遮蔽扉が設置される開口部における放射線遮蔽枠の製造方法であって、前記放射線遮蔽扉は、少なくとも２枚の鉛フリー放射線防護材（以下無鉛ボードと称する）を積層した積層体の表・裏両面にそれぞれ所要厚さの鋼板を貼設した構成を備えさせ、前記開口部における少なくとも上枠及び左・右の竪枠部分の前記放射線遮蔽枠は、少なくとも２枚の無鉛ボードを積層した積層体に所要厚さの鋼板を被装して構成した放射線遮蔽扉の製造方法を提供する。
【０００７】
この構成によれば、放射線遮蔽扉は、無鉛ボードを素材とした低コストで遮蔽性能を有し、且つ比較的軽量の無鉛ボードを積層体とすることで、その遮蔽性能（鉛当量）が無鉛ボード１枚当たりの積層数倍に高められる。そして、さらに該積層体の表・裏両面に遮蔽能力のある鋼板を所要厚さとして貼設したことで、積層体の厚みを大きく増すことなく遮蔽性能がさらに高められるとともに扉強度が所要の強度に高められる。一方、放射線遮蔽枠は、上記と同様の無鉛ボードの積層体に所要厚さの鋼板を被装して構成したことで、遮蔽性能が所要性能に高められるとともに枠強度が所要の強度に高められる。
【０００８】
請求項２記載の発明は、請求項１記載の発明において、上記放射線遮蔽扉における上框、下框及び左・右の竪框部分には鋼材製の補強材をそれぞれ嵌着した放射線遮蔽扉の製造方法を提供する。
【０００９】
この構成によれば、放射線遮蔽扉における各框部分が補強されるとともに、これらの部分の遮蔽性能が、さらに高められる。
【００１０】
請求項３記載の発明は、請求項２記載の発明において、上記放射線遮蔽扉の表・裏両面には、それぞれ合板及び化粧板を順次積層した放射線遮蔽扉の製造方法を提供する。
【００１１】
この構成によれば、放射線遮蔽扉は、無鉛ボードの積層体の表・裏両面に鋼板を貼設し、各框部分は鋼材製の補強材を嵌着して補強し、さらに表・裏両面に厚み調整用の合板及び化粧板を順次積層したことで、全厚みが所要の厚みに調整されるとともに、扉の表・裏両面が意匠的に仕上げられる。
【００１２】
請求項４記載の発明は、請求項１，２又は３記載の発明において、上記上枠及び左・右の竪枠部分の放射線遮蔽枠には、上記放射線遮蔽扉における上框及び左・右の竪框部分の各裏面に対応した戸当り部をそれぞれ連設するとともに該戸当り部においても前記各枠部分の放射線遮蔽枠と同様に少なくとも２枚の無鉛ボードを積層した積層体に所要厚さの鋼板を被装して構成した放射線遮蔽扉の製造方法を提供する。
【００１３】
この構成によれば、上枠及び左・右の竪枠部分の放射線遮蔽枠に、放射線遮蔽扉における上框及び左・右の竪框部分の各裏面に対応し、且つ所要の遮蔽性能を持つ戸当り部をそれぞれ連設したことで、放射線遮蔽枠における前記各枠部分と放射線遮蔽扉におけるこれに対応した各框部分との間に隙間が生じたとしても、この隙間による遮蔽性能の低下が抑えられる。
【発明の効果】
【００１４】
請求項１記載の発明は、放射線遮蔽扉は、低コストで遮蔽性能を持つ無鉛ボードを積層し、その表・裏両面に遮蔽能力のある鋼板を所要厚さとして貼設し、放射線遮蔽枠は、これと同様の無鉛ボードの積層体に所要厚さの鋼板を被装して構成したことで、鉛を全く使用することなく、通常使用での放射線遮蔽扉及びその周囲の放射線遮蔽枠からの放射線の漏洩を大きく減弱し得るとともに低コスト化を実現することができるという利点がある。
【００１５】
請求項２記載の発明は、請求項１記載の発明の効果に加えてさらに、放射線遮蔽扉における各框部分を補強することができるとともに、これらの部分の遮蔽性能をさらに高めることができるという利点がある。
【００１６】
請求項３記載の発明は、請求項２記載の発明の効果に加えてさらに、放射線遮蔽扉の全厚みを所要の厚みに調整することができるとともに、該放射線遮蔽扉の表・裏両面を意匠的に仕上げることができるという利点がある。
【００１７】
請求項４記載の発明は、請求項１，２又は３記載の発明の効果に加えてさらに、放射線遮蔽枠における上枠及び左・右の竪枠部分と放射線遮蔽扉におけるこれらに対応した框部分との間に隙間が生じても、この隙間による遮蔽性能の低下を抑えることができるという利点がある。
【図面の簡単な説明】
【００１８】
図は本発明の実施例に係る放射線遮蔽扉の製造方法を示すものである。
【図１】放射線遮蔽扉及び放射線遮蔽枠の縦断面図。
【図２】放射線遮蔽扉及び放射線遮蔽枠の横断面図。
【図３】放射線遮蔽扉の部分拡大断面図。
【図４】放射線遮蔽扉及び放射線遮蔽枠の縮小正面図。
【発明を実施するための形態】
【００１９】
本発明は、鉛を全く使用することなく、通常使用での扉及び該扉周囲の枠部からの放射線の漏洩を大きく減弱し得るとともに低コスト化を実現するという目的を達成するために、放射線遮蔽扉及び該放射線遮蔽扉が設置される開口部における放射線遮蔽枠を製造する放射線遮蔽扉の製造方法であって、前記放射線遮蔽扉は、少なくとも２枚の鉛フリー放射線防護材（以下無鉛ボードと称する）を積層した積層体の表・裏両面にそれぞれ所要厚さの鋼板を貼設した構成を備えさせ、前記開口部における少なくとも上枠及び左・右の竪枠部分の前記放射線遮蔽枠は、少なくとも２枚の無鉛ボードを積層した積層体に所要厚さの鋼板を被装して実現した。
【実施例１】
【００２０】
以下、本発明の好適な実施例を図１乃至図４を参照して、具体的な数値例とともに説明する。本実施例に係る放射線遮蔽扉の製造方法では、図４に示すように、放射線遮蔽扉１自体と該放射線遮蔽扉１が設置される開口部（出入口）２における放射線遮蔽枠３とが製造される。まず、製造されるこの放射線遮蔽扉１と放射線遮蔽枠３の構成を説明する。
【００２１】
放射線遮蔽扉１は、図１及び図２に示すように、Ｘ線室側に開くように（外開きも可能）製造されており、その基本的な遮蔽構造は、図３の拡大断面図にも示すように、２枚の無鉛ボード（鉛フリー放射線防護材）４ａ，４ｂを重ね張りにより積層した積層体４の表・裏両面に、遮蔽能力があり且つ補強材としても機能する所要厚さの鋼板５をそれぞれを貼設することにより構成されている。
【００２２】
前記無鉛ボード４ａ，４ｂは、硫酸バリウムを石膏と混合し、ガラス繊維で補強した硫酸バリウム混入石膏ボードを素材として形成されており、鉛は全く使用されていない。前記硫酸バリウムは、造影剤として胃腸のレントゲン検査にも使用されているものであり、前記石膏は、天然石膏の他、火力発電所から化学的に副生される副生石膏（化学石膏）を原材料としたものであり、環境配慮材料である。前記ガラス繊維は、体外に排出されやすい性質があり、吸い込んだとしても体内に残ることはない。この無鉛ボード４ａ，４ｂは、鉛ボードと比較して約２０％低コスト（平成２０年４月現在）であり、また鉛ボードと比較して軽量であるため、良好な施工性を有している。
【００２３】
無鉛ボード４ａ（又は４ｂ）は、１枚当たり、１２．５ｍｍ厚さで、鉛当量  （遮蔽性能）が０．７５ｍ／ｍ以上のものが用いられている。本製造例では、積層体４部分の鉛当量を１．５ｍ／ｍ以上に設定するため、前述のように、２枚の無鉛ボード４ａ，４ｂが重ね張りにより積層されている。
【００２４】
そして、本製造例では、積層体の厚みを大きく増すことなく遮蔽性能をさらに高め、且つ扉強度を増すため、遮蔽能力がある鋼材を、０．８ｍｍ厚さの鋼板５とし、該鋼板５を積層体４の表・裏両面にそれぞれを貼設している。この構成により、基本的な遮蔽構造体の遮蔽性能は、（１２．５ｍｍ厚さの２枚の無鉛ボード４ａ，４ｂ＋０．８ｍｍ厚さの２枚の鋼板５）で、合計鉛当量２．０ｍ／ｍ以上に設定されている。
【００２５】
放射線遮蔽扉１における上記の基本的な遮蔽構造体の上框１ａ、下框１ｄ及び左・右の竪框１ｂ，１ｃ部分（図４参照）には鋼材製の補強材６がそれぞれ嵌着されて、各框部分１ａ〜１ｄが補強されるとともに、これらの部分の遮蔽性能がさらに高められている。
【００２６】
そして、さらに放射線遮蔽扉１は、その表・裏両面に厚み調整用の合板７ａ，７ｂ及び化粧板８が順次積層されて全厚みが所要の厚みに調整されるとともに、表・裏両面が意匠的に仕上げられている。図３等の例では、化粧板８は厚さ３．０ｍｍのものが用いられ、これに厚み調整用として、厚さ２．０ｍｍの合板７ａと厚さ２．５ｍｍの合板７ｂの２枚
の合板７ａ，７ｂが用いられて、扉厚みが所要の厚みに調整されている。
【００２７】
該放射線遮蔽扉１は、図４に示すように、右竪框１ｃ側の部分に扉の開閉支点となる３個の丁番９，９が開口部２との間に取付けられ、左竪框１ｂ側の部分には開閉操作用の取手１０が設けられている。
【００２８】
一方、放射線遮蔽枠３は、図４に示すように、開口部２における上枠２ａ及び左・右の竪枠２ｂ，２ｃ部分のみに製造されている。図１は上枠２ａ側の放射線遮蔽枠３を示し、図２は左竪枠２ｂ側の放射線遮蔽枠３（同図左側に図示）と、右竪枠２ｃ側の放射線遮蔽枠３（同図右側に図示）を示している。
【００２９】
該放射線遮蔽枠３は、図１及び図２に示すように、前記と同様の２枚の無鉛ボード４ａ，４ｂを重ね張りにより積層した積層体４に、遮蔽能力があり且つ補強材としても機能する所要厚さの鋼板１１を被装することにより構成されている。該鋼板１１は、２．３ｍｍ厚さのものが用いられている。この構成により、放射線遮蔽枠３の遮蔽性能は、（１２．５ｍｍ厚さの２枚の無鉛ボード４ａ，４ｂ＋２．３ｍｍ厚さの１枚の鋼板１１）で、合計鉛当量２．０ｍ／ｍ以上に設定されている。
【００３０】
また、上記の上枠２ａ及び左・右の竪枠２ｂ，２ｃ部分の放射線遮蔽枠３には、前記放射線遮蔽扉１における上框１ａ及び左・右の竪框１ｂ，１ｃ部分の各裏面に対応した扉受け部３ａがそれぞれ連設されている。そして、該戸当り部３ａにおいても各枠２ａ，２ｂ，２ｃ部分の放射線遮蔽枠３それ自体と同様に、２枚の無鉛ボード４ａ，４ｂを重ね張りにより積層した積層体４に、鋼板１１を被装することにより構成されている。
【００３１】
前記開口部２の下枠部分に対応したフロア部分には、図１に示すように、鋼材製の幅広のチャンネル状部材１２により沓摺りが形成されている。
【００３２】
次に、上述のように施工された放射線遮蔽扉及び放射線遮蔽枠の作用を説明する。放射線遮蔽扉１は、その基本的な遮蔽構造体の構成を、１枚当たり１２．５ｍｍ厚さで、鉛当量が０．７５ｍ／ｍ以上の２枚の無鉛ボード４ａ，４ｂを重ね張りにより積層体４とし、該積層体４の表・裏両面に、遮蔽能力のある鋼材を、０．８ｍｍ厚さの鋼板５としてそれぞれを貼設したことで、積層体４の厚みを大きく増すことなく遮蔽性能を鉛当量２．０ｍ／ｍ以上に設定することが可能となり、また扉強度を所要強度まで高めることが可能となる。
【００３３】
上枠２ａ及び左・右の竪枠２ｂ，２ｃ部分の放射線遮蔽枠３に、放射線遮蔽扉１における上框１ａ及び左・右の竪框１ｂ，１ｃ部分の各裏面に対応し、且つ放射線遮蔽枠３それ自体と同様の遮蔽性能を持つ戸当り部３ａをそれぞれ連設したことで、放射線遮蔽枠３における前記各枠２ａ，２ｂ，２ｃ部分と放射線遮蔽扉１におけるこれに対応した各框１ａ，１ｂ，１ｃ部分との間に隙間が生じたとしても、この隙間による遮蔽性能の低下が抑えられる。
【００３４】
上述したように、本実施例に係る放射線遮蔽扉の製造方法においては、放射線遮蔽扉１は、低コストで所要の遮蔽性能を持つ２枚の無鉛ボード４ａ，４ｂを重ね張りにより積層し、その積層体４の表・裏両面に遮蔽能力のある鋼板５を所要厚さとして貼設し、放射線遮蔽枠３は、これと同様の２枚の無鉛ボード４ａ，４ｂの積層体４に所要厚さの鋼板１１を被装して構成したことで、鉛を全く使用することなく、通常使用での放射線遮蔽扉１及び該放射線遮蔽扉１周囲の放射線遮蔽枠３からの放射線の漏洩を大きく減弱し得るとともに低コスト化を実現することができる。
【００３５】
放射線遮蔽扉１における上框１ａ、下框１ｄ及び左・右の竪框１ｂ，１ｃ部分には鋼材製の補強材６をそれぞれ嵌着したことで、各框１ａ〜１ｄ部分を補強することができるとともに、これらの部分の遮蔽性能をさらに高めることができる。
【００３６】
上枠２ａ及び左・右の竪枠２ｂ，２ｃ部分の放射線遮蔽枠３に、放射線遮蔽扉１における上框１ａ及び左・右の竪框１ｂ，１ｃ部分の各裏面に対応した戸当り部３ａをそれぞれ連設したことで、放射線遮蔽枠３における各枠２ａ，２ｂ，２ｃ部分と放射線遮蔽扉１におけるこれに対応した各框１ａ，１ｂ，１ｃ部分との間に隙間が生じても、この隙間による遮蔽性能の低下を抑えることができる。
【００３７】
なお、本発明は、本発明の精神を逸脱しない限り種々の改変をなすことができ、そして、本発明が該改変されたものにも及ぶことは当然である。
【産業上の利用可能性】
【００３８】
鉛を全く使用することなく、通常使用での戸及び該戸周囲の枠部からの放射線の漏洩を大きく減弱し得る放射線遮蔽観察窓枠、及び引戸方式の放射線遮蔽戸とその開口部における放射線遮蔽枠への用途にも適用できる。また、放射線遮蔽扉の構造は、放射線遮蔽壁の構成にも適用できる。
【符号の説明】
【００３９】
１          放射線遮蔽扉
１ａ        上框
１ｂ        左竪框
１ｃ        右竪框
１ｄ        下框
２          開口部
２ａ        上枠
２ｂ        左竪枠
２ｃ        右竪枠
３          放射線遮蔽枠
３ａ        戸当り部
４          積層体
４ａ，４ｂ  無鉛ボード（鉛フリー放射線防護材）
５          鋼板
６          補強材
７ａ，７ｂ  合板
８          化粧板
９          丁番
１０          取手
１１          鋼板
１２          チャンネル状部材（沓摺り）
【図１】
2010230311.tif 000003
【図２】
2010230311.tif 000004
【図３】
2010230311.tif 000005
【図４】
2010230311.tif 000006